(57)【要約】【課題】浴室等の高湿空間への電気器具の設置において、電気器具内部、配線、配線接続部等への水、蒸気等の進入を防止するとともに室外への漏洩を防止することを目的とする。【解決手段】壁面６を貫通し配線１１を引き込む配線開口１６と、器具に配線を引き込む配線引き込み口１０と、内部に配線を貫通させるフランジの付いた筒状の防水筒１４を備え、前記配線引き込み口１０は前記防水筒１４に挿入自在とし、前記配線引き込み口１０あるいは前記防水筒１４の少なくても一方に備えた密接手段を介し、前記配線引き込み口１０と前記防水筒１４が密接する構成の配線引き込み部の防水構造。【選択図】  図２
2005019597.tif 000002
【特許請求の範囲】
【請求項１】
壁面に取り付けた器具に室外より配線を引き込み接続する構造において、壁面を貫通し配線を引き込む配線開口と、器具に配線を引き込む配線引き込み口と、内部に配線を貫通させるフランジの付いた筒状の防水筒を備え、前記配線引き込み口は前記防水筒に挿入自在とし、前記配線引き込み口あるいは前記防水筒の少なくても一方に備えた密接手段を介し、前記配線引き込み口と前記防水筒が密接する構成の配線引き込み部の防水構造。
【請求項２】
前記密接手段は、配線引き込み口の外周に環状の凹部を設け、前記凹部にＯリングを勘請求項１に記載の配線引き込み部の防水構造。
【請求項３】
前記密接手段は、配線引き込み口の外周に軟質材料にて環状の凸部を一体で形成した請求項１に記載の配線引き込み部の防水構造。
【請求項４】
前記密接手段は、防水筒の内周に軟質材料にて環状の凸部を一体で形成した請求項１に記載の配線引き込み部の防水構造。
【発明の詳細な説明】
【０００１】
【発明の属する技術分野】
本発明は高湿空間への配線引き込み部の防水構造に関するに関するものである。
【０００２】
【従来の技術】
従来、この種の防水構造は、器具の裏面と取付壁面との間に配設したパッキンを器具本体で押圧することにより、配線部分への防水をしている（例えば、特許文献１参照）。
【０００３】
図４は、前記公報に記載された従来の防水構造を示すものである。
【０００４】
図４において、１はリモコン器具本体、２はリモコン本体を取り付ける壁面、３は配線を引き込むための貫通穴、４は配線、５はパッキンでリモコン器具本体１と壁面２とのの間に密着固定された構成である。
【０００５】
【特許文献１】
特開２０００−１２４６３２号公報
【０００６】
【発明が解決しようとする課題】
しかしながら、前記従来の構成では、器具本体と壁面間にパッキンを配設し、器具本体を壁面に取り付けた状態でパッキンを押圧し防水構造が構成できるものであるので、器具本体の取付が不完全な場合、器具本体の剛性や強度が不十分なためパッキンを十分に押圧できない場合、また壁面の仕上げ状態が不完全な場合等では十分な防水性能を確保することができないという課題を有していた。
【０００７】
本発明は、前記従来の課題を解決するもので、浴室等の高湿空間への電気器具の設置において、電気器具内部、配線、配線接続部等への水、蒸気等の進入を防止するとともに室外への漏洩を防止する配線引き込み部の防水構造を提供することを目的とする。
【０００８】
【課題を解決するための手段】
前記従来の課題を解決するために、本発明の配線引き込み部の防水構造は、壁面を貫通し配線を引き込む配線開口と、器具に配線を引き込む配線引き込み口と、内部に配線を貫通させるフランジ付きの筒状の防水筒を備え、前記配線引き込み口あるいは防水筒の少なくとも一方に備えた密接手段を介し前記配線引き込み口と前記防水筒が密接する構成としたものである。
【０００９】
これによって、防水筒の内側面と配線引き込み口との隙間が密接されて防水することができ、内部に配置された配線や配線接続部は高湿環境から遮断された環境が維持される。
【００１０】
【発明の実施の形態】
請求項１に記載の発明は配線引き込み部の防水構造は、壁面に取り付けた器具に室外より配線を引き込み接続する構造において、壁面を貫通し配線を引き込む配線開口と、器具に配線を引き込む配線引き込み口と、内部に配線を貫通させるフランジ付きの筒状の防水筒を備え、前記配線引き込み口は前記防水筒に挿入自在とし、前記配線引き込み口あるいは防水筒の少なくとも一方に備えた密接手段を介し前記配線引き込み口と前記防水筒が密接する構成とすることにより、配線引き込み口を壁面に取付けた防水筒の中に挿入すると、防水筒の内側面と配線引き込み口との隙間が密接されて防水することができ、内部に配置された配線や配線接続部は高湿環境から遮断された環境が維持される。
【００１１】
請求項２に記載の発明は、特に請求項１に記載の密接手段を、配線引き込み口に凹部を設け、前記凹部にＯリングを勘合させており、前記配線引き込み口を前記防水筒の中に挿入することにより防水筒の内側面と配線引き込み口との隙間をＯリングが圧縮されながら密閉することで防水することができ、内部に配置された配線や配線接続部は高湿環境から遮断された環境を維持することができる。
【００１２】
請求項３に記載の発明は、特に請求項１に記載の密接手段を、配線引き込み口の外周に軟質材料にて環状の凸部を一体で形成しており、前記配線引き込み口を前記防水筒の中に挿入することにより、防水筒の内側面と配線引き込み口との隙間を凸部が圧縮されながら密閉することで防水することができ、内部に配置された配線や配線接続部は高湿環境から遮断された環境を維持することができる。
【００１３】
請求項４に記載の発明は、特に請求項１に記載の密接手段を、防水筒の内周に軟質材料にて環状の凸部を一体で形成しており、前記配線引き込み口を前記防水筒の中に挿入することにより、防水筒の内側面と配線引き込み口との隙間を凸部が圧縮されながら密閉することで防水することができ、内部に配置された配線や配線接続部は高湿環境から遮断された環境を維持することができる。
【００１４】
【実施例】
以下本発明の実施例について、図面を参照しながら説明する。
【００１５】
（実施例１）
図１は本発明の第１の実施例における配線引き込み部の設置過程を示す断面図であり、図２は設置後の完成状態示す断面図である。浴室の壁面６に防曇ヒーター７を裏面に取り付けた鏡８を設置した構成を例に説明する。
【００１６】
鏡８の裏面には防水処理された防曇ヒーター７が固着されており、防曇ヒーター７の裏面に固着された防水構造の電源カバー９の配線引き込み口１０から引き込まれた電源用の配線１１と防曇ヒーター７とは電気的に接続されている。
【００１７】
配線引き込み口の１０の構成は、円柱状の外周に溝凹部１２を全周に渡り設け、前記溝凹部１２に弾性体のＯリング１３が勘合されて構成されている。
【００１８】
前記フランジ付きの防水筒１４のフランジ１５は配線開口１６の外周部に密接され前記フランジ取付穴１７より防水パッキン１８を介して複数のねじ１９で壁面に固定されている。また、前記鏡８は取付金具２０を介して壁面６に固着されている。
【００１９】
以上のように構成された配線部の防水構造について、以下その動作、作用を説明する。
【００２０】
まず、図１に示すように、配線引き込み口１０をフランジ付きの防水筒１４の円形の開口に押込むと電源カバー９の外周が前記防水筒の内周面に勘合し、配線引き込み口１０と防水筒１４の中心が一致し、かつ配線引き込み口１０の平面部２１が防水筒１４の平面部２２に当り前後方向の位置決めができる。
【００２１】
次に図２に示すように鏡８を壁面６に押しつけ、取付金具２０を介して固定した完成状態では、配線引き込み口９の溝凹部１２に勘合された弾性体のＯリング１３が均等に圧縮され防水筒１４の内周面に密接しており、内部に配置された配線や配線接続部は高湿環境から遮断された環境を維持することができる。
【００２２】
また、一旦取り付けた鏡８を壁面６から取り外す場合においても、防水部材を破壊することなく取り外すことができ、取り付け、取り外しが自由にできる。
【００２３】
以上のように、本実施例において、配線引き込み口とフランジ付き防水筒を互いに勘合させるだけで確実に防水することが可能であり、取り付け、取り外しが自由にできる。
【００２４】
（実施例２）
図３は本発明の第２の実施における配線引き込み口の設置過程を示す断面図である。配線引き込み口１０の外周には環状の凸部２３を軟質材料で一体に形成されており、配線引き込み口１０を防水筒１４に挿入すると、前記凸部２３が均等に圧縮され、防水筒１４の内周面に圧接することにより、内部に配置された配線や配線接続部は高湿環境から遮断された環境を維持することができる。
【００２５】
実施例１と同一符号のものは同一構造を有し説明は省略する。
【００２６】
以上のように、本実施例においては、密接手段である凸部２３が配線引き込み口１０と一体で形成されているため、製造が容易であるとともに、密接手段の紛失を防止することができる。
【００２７】
また、実施例１および実施例２における壁面取付手段はフランジをねじを介して壁面に取り付ける構成としているが、フランジを接着剤で壁面に接着し、ねじを使用しない構成とするもできる。
【００２８】
【発明の効果】
以上のように、請求項１から３のいずれか一項記載の発明によれば、配線の引込作業と防水作業が同時に配線引き込み口と防水筒を勘合させるだけで行うことができるため確実な防水性能を確保することができるとともに、取り付け、取り外し作業が自由にできる。
【図面の簡単な説明】
【図１】本発明の実施例１における設置過程における断面図
【図２】本発明の実施例１における組立完成状態を示す断面図
【図３】本発明の実施例２における設置過程における断面図
【図４】従来の防水構造を示す断面図
【符号の説明】
６  壁面
１０  配線引き込み口
１１  配線
１２  凹部
１３  Ｏリング
１４  防水筒
１５  フランジ
１６  配線開口
２３  凸部
【図１】
2005019597.tif 000003
【図２】
2005019597.tif 000004
【図３】
2005019597.tif 000005
【図４】
2005019597.tif 000006